(57)【要約】【課題】  確実に開閉蓋をロックできると共に一回の操作で開閉蓋を簡単に開けることのできる開閉蓋のロック・アンロック機構を提案すること。【解決手段】  プリンタ１の蓋オープンボタン１０を第１の操作位置１０Ｂまで押し下げると、ロック・アンロック機構１１のロックレバー１４がロック位置１４Ａからアンロック位置１４Ｂにスライドし、その係合溝１５が開閉蓋４の蓋側係合部１２から外れて開閉蓋４のロックが解除される。蓋オープンボタン１０を最終操作位置１０Ｃまで更に押し込むと、ロックレバー１４がガイドピン２４を中心に上下にスイングし、その蓋押し上げ面１６により開閉蓋４の蓋係合部１２が押し上げられ、開閉蓋４が開く。蓋オープンボタン１０を押し込むだけで開閉蓋４のロック解除と押し上げ動作が行われる。【選択図】  図６
2005096290.tif 000002
【特許請求の範囲】
【請求項１】
筐体に対して所定の回転支軸を中心として開閉可能に取り付けた開閉蓋のロック・アンロック機構であって、
前記開閉蓋に取り付けた蓋側係合部と、
前記蓋側係合部に係合可能な筐体側係合部と、
前記蓋側係合部を前記開閉蓋の開き方向に押し上げ可能な蓋押し上げ部と、
前記筐体に取り付けられ、前記蓋側係合部が前記筐体側係合部に係合することにより形成される前記開閉蓋のロック状態を解除するための手動操作部材と、
前記手動操作部材に連動してスライドおよびスイングが可能な状態で前記筐体に取り付けられていると共に、前記蓋側係合部および前記蓋押し上げ部が形成されているロックレバーとを有し、
前記ロックレバーは、閉じ位置にある前記開閉蓋の前記蓋側係合部に前記筐体側係合部を係合させたロック位置と、このロック位置から所定の距離だけ後退したアンロック位置との間を直線状にスライド可能であると共に、前記アンロック位置と、前記蓋押し上げ部により前記蓋側係合部が所定量押し上げられた押し上げ位置との間をスイング可能であり、
前記手動操作部材が初期位置から第１の操作位置まで操作されると、前記ロックレバーが前記ロック位置から前記アンロック位置にスライドし、前記手動操作部材が前記第１の操作位置を越えて操作されると、前記ロックレバーが前記押し上げ位置に向けてスイングする開閉蓋のロック・アンロック機構。
【請求項２】
請求項１において、
前記ロックレバーを前記ロック位置に付勢しているレバー付勢部材と、
前記手動操作部材を前記初期位置に復帰させる復帰用付勢部材とを有しているロック・アンロック機構。
【請求項３】
請求項２において、
前記第１の操作位置に向けて操作される前記手動操作部材の移動を、前記ロックレバーのスライド運動に変換するためのスイングアームを備えている開閉蓋のロック・アンロック機構。
【請求項４】
請求項３において、
前記筐体に取り付けた第１および第２のガイドピンと、
前記ロックレバーに形成した前記スライド方向に延びる第１および第２のガイド穴とを備え、
前記第１のガイドピンは前記第１のガイド穴にスライド可能な状態で差し込まれ、前記第２のガイドピンは前記第２のガイド穴にスライド可能な状態で差し込まれている開閉蓋のロック・アンロック機構。
【請求項５】
請求項４において、
前記ロックレバーにおける前記第１のガイド穴に対して一方の側の部位には、前記筐体側係合部と、前記蓋押し上げ部と、前記第２のガイド穴とが形成されており、
前記ロックレバーにおける前記第１のガイド穴に対して他方の側の部位には、前記スイングアームとの連結部と、前記第１の操作位置を超えて操作される前記手動操作部材に当接可能な当接部とが形成されており、
前記第２のガイド穴における前記ロック位置の側の端には、前記第１のガイド穴における前記ロック位置の側の端に位置する前記第１のガイドピンを中心とする円弧状ガイド穴が連続しており、
前記連結部は、前記ロックレバーに取り付けた連結ピンと、前記スイングアームに形成した前記ピンがスライド可能な状態で差し込まれているピンガイド穴とを備え、前記ピンガイド穴は、前記第１のガイド穴における前記ロック位置の側の端に位置する前記第１のガイドピンを中心とする円弧状ガイド穴である開閉蓋のロック・アンロック機構。
【請求項６】
請求項５において、
前記ロックレバーは、前記ロック位置において、前記閉じ位置に向けて移動する前記蓋側係合部に当接可能な案内面を備えており、
前記蓋側係合部から前記案内面に作用する力によって、前記ロックレバーが前記アンロック位置に向けてスライド可能となっている開閉蓋のロック・アンロック機構。
【請求項７】
請求項６において、
前記ロックレバーの前記筐体側係合部のスライド方向は、前記蓋側係合部の円弧状の移動軌跡における前記筐体側係合部との係合位置に引いた接線にほぼ直交する方向である開閉蓋のロック・アンロック機構。
【請求項８】
請求項１ないし７のうちのいずれかの項において、
前記筐体はプリンタ本体である開閉蓋のロック・アンロック機構。
【請求項９】
請求項８に記載の開閉蓋のロック・アンロック機構を備えたプリンタであって、
前記開閉蓋の先端部分には紙送りローラが取り付けられており、
前記プリンタ本体には印字ヘッドが取り付けられており、
前記紙送りローラの軸に前記蓋側係合部が同軸状態に取り付けられており、
前記開閉蓋を閉じると、前記紙送りローラによって前記印字ヘッドによる印字位置を経由して記録媒体が搬送される搬送路が構成されるプリンタ。
【請求項１０】
請求項９において、
前記プリンタ本体には記録紙ロール装填部が形成されており、
前記記録紙ロール装填部の開口部が前記開閉蓋によって開閉されるプリンタ。
【発明の詳細な説明】
【技術分野】
【０００１】
本発明は、ジャーナルプリンタの記録紙ロール装填部の開閉蓋などに適用可能な開閉蓋のロック・アンロック機構に関するものである。さらに詳しくは、開閉蓋の開閉操作を簡単に行うことができ、振動・衝撃などに影響されることなく開閉蓋のロック状態を保持できる開閉蓋のロック機構に関するものである。
【背景技術】
【０００２】
記録紙ロールに印字を行うプリンタにおいては、記録紙ロール装填部の開閉蓋に紙送りローラを取り付け、開閉蓋を開けると、記録紙ロール装填部が開くと共に記録紙搬送路も開くように構成されたものが知られている。記録紙搬送路が開くので、記録紙ロールを記録紙ロール収納部に入れ、そこから記録紙を所定量繰り出した後に開閉蓋を閉じるという簡単な操作で記録紙ロールの装填を行うことができる。
【０００３】
このようなプリンタでは、開閉蓋が不必要に開かないように閉じ状態にロックするためのロック機構が備わっている。ロック機構は、一般に、開閉蓋に取り付けた係合部と、プリンタ本体側に取り付けたロックレバーとを備えている。ロックレバーは、プリンタ前後方向にスイング可能とされ、ばねなどの付勢部材によって、閉じられた開閉蓋の係合部に対して前側あるいは後側から係合し、これによって開閉蓋のロック状態が形成されるようになっている。
【発明の開示】
【発明が解決しようとする課題】
【０００４】
ここで、開閉蓋のロック機構と、開閉蓋を開く方向に押し上げるオープン機構とが独立して設けられている場合には、開閉蓋を開ける際に、ロック機構によるロックを解除するための操作と、オープン機構による開閉蓋を押し上げるための操作を順次に行う必要がある。従って、単一操作で開閉蓋を開けることができないので不便である。そこで、ロック機構とオープン機構とを連動させ、ロック機構の解除操作に連動してオープン機構による開閉蓋の押し上げ動作を行わせれば、開閉蓋を開ける際の操作が簡単になる。しかしながら、連動している場合には、衝撃や振動などによってロック機構が外れると開閉蓋が簡単に開いてしまうので好ましくない。
【０００５】
本発明の課題は、単一の操作で開閉蓋を開閉でき、しかも、振動・衝撃などの外的要因に影響されることなく開閉蓋を閉じ状態に保持できる開閉蓋のロック・アンロック機構を提案することにある。
【０００６】
また、本発明の課題は、かかる新しい開閉蓋のロック・アンロック機構を備えたプリンタを提案することにある。
【課題を解決するための手段】
【０００７】
本発明は、筐体に対して所定の回転支軸を中心として開閉可能に取り付けた開閉蓋のロック・アンロック機構であって、前記開閉蓋に取り付けた蓋側係合部と、前記蓋側係合部に係合可能な筐体側係合部と、前記蓋側係合部を前記開閉蓋の開き方向に押し上げ可能な蓋押し上げ部と、前記筐体に取り付けられ、前記蓋側係合部が前記筐体側係合部に係合することにより形成される前記開閉蓋のロック状態を解除するための手動操作部材と、前記手動操作部材に連動してスライドおよびスイング可能な状態で前記筐体に取り付けられていると共に前記蓋側係合部および前記蓋押し上げ部が形成されているロックレバーとを有している。また、前記ロックレバーは、閉じ位置にある前記開閉蓋の前記蓋側係合部に前記筐体側係合部を係合させたロック位置と、このロック位置から所定の距離だけ後退したアンロック位置との間をスライド可能であると共に、前記アンロック位置と、前記蓋押し上げ部により前記蓋側係合部が所定量押し上げられた押し上げ位置との間をスイング可能とされている。さらに、前記手動操作部材が初期位置から第１の操作位置まで操作されると、前記ロックレバーが前記ロック位置から前記アンロック位置にスライドし、前記手動操作部材が前記第１の操作位置を越えて操作されると、前記ロックレバーが前記押し上げ位置に向けてスイングするようになっている。
【０００８】
本発明では、手動操作部材を操作すると、まず、ロックレバーがスライドしてロックが解除され、次に、ロックレバーがスイングして開閉蓋を押し上げる。従って、単一の操作により、開閉蓋のロック解除と開閉蓋の開き動作が連続して行われる。また、ロックレバーがスライドして、そこに形成されている筐体側係合部が蓋側係合部に係合する。ロックレバーを前後にスイングさせて開閉蓋をロックする場合に比べて、筐体側係合部と蓋側係合部の係合力を高めることができる。例えば、蓋側係合部を円柱状の係合ピンとし、筐体側係合部を円弧状の係合溝とする場合には、係合溝を深くして双方の係合強度を高めることができる。従って、振動・衝撃などが外部から作用してもロックが外れてしまうことがない。
【０００９】
ここで、一般的には、前記ロックレバーを前記ロック位置に付勢しているレバー付勢部材と、前記手動操作部材を前記初期位置に復帰させるための復帰用付勢部材とが取り付けられる。
【００１０】
また、手動操作部材は操作し易いように筐体の上面などに配置されてその操作方向が上下方向とされ、ロックレバーのスライド方向が水平方向とされる場合が多い。この場合には、前記第１の操作位置に向けて前記スライド方向とは異なる方向に操作される前記手動操作部材の移動を、前記ロックレバーの前記ロック位置から前記アンロック位置へのスライド運動に変換するためのスイングアームを配置すればよい。
【００１１】
さらに、ロックレバーのスライドをがたつきなく円滑に行わせるためには、ロックレバーを２箇所でスライド可能に支持すればよい。すなわち、前記筐体に第１および第２のガイドピンを取り付け、前記ロックレバーには前記スライド方向に延びる第１および第２のガイド穴を形成し、前記第１のガイドピンを前記第１のガイド穴にスライド可能な状態で差し込み、前記第２のガイドピンを前記第２のガイド穴にスライド可能な状態で差し込めばよい。
【００１２】
この場合に、ロックレバーのスイングを可能にするためには次のようにすればよい。前記ロックレバーにおける前記第１のガイド穴に対して一方の側の部位に、前記筐体側係合部と、前記蓋押し上げ部と、前記第２のガイド穴とを形成する。また、前記ロックレバーにおける前記第１のガイド穴に対して他方の側の部位には、前記スイングアームとの連結部と、前記第１の操作位置を超えて操作される前記手動操作部材に当接可能な当接部とを形成する。さらに、前記第２のガイド穴における前記ロック位置の側の端には、前記第１のガイド穴における前記ロック位置の側の端に位置する前記第１のガイドピンを中心とする円弧状ガイド穴を連続させる。さらには、前記連結部を、前記ロックレバーに取り付けたピンと、前記スイングアームに形成した前記ピンがスライド可能な状態で差し込まれているピンガイド穴とを備えた構成とし、前記ピンガイド穴を、前記第１のガイド穴における前記ロック位置の側の端に位置する前記第１のガイドピンを中心とする円弧状ガイド穴とすればよい。
【００１３】
この構成では、ロックレバーのスライドをガイドする第２のガイドピンは第２のガイド穴に連続して形成された円弧状ガイド穴に沿って移動し、スイングアームの連結部を構成しているピンも円弧状のピンガイド穴に沿って移動するので、アンロック位置にあるロックレバーが、第１のガイドピンを中心としてスイング可能である。
【００１４】
次に、開閉蓋が開いた後に手動操作部材の操作を解除すると、手動操作部材が初期位置に復帰すると共に、ロックレバーもロック位置に戻る。開閉蓋を閉じる際にはロックレバーをアンロック位置にスライドさせる必要がある。開閉蓋の閉じ動作に連動してロックレバーをアンロック位置に移動させるためには、前記ロックレバーに、前記ロック位置において、前記閉じ位置に向けて移動する前記蓋側係合部に当接可能な案内面を形成し、前記蓋側係合部から前記案内面に作用する力によって、前記ロックレバーを前記アンロック位置に向けてスライド可能にすればよい。
【００１５】
ここで、前記ロックレバーの前記筐体側係合部のスライド方向は、前記蓋側係合部の円弧状の移動軌跡における前記筐体側係合部との係合位置に引いた接線にほぼ直交する方向であることが望ましい。双方の係合力を高めるためには、接線とスライド方向とのなす角度を鋭角となるようにすればよいが、このようにすると、蓋側係合部の移動に対するロックレバーの干渉量が増加するので、ロックレバーのスライド量を大きくしなくてはならない。逆に、接線とスライド方向のなす角度を鈍角にすると、これらの間の係合力が低下してしまうので好ましくない。
【００１６】
次に、本発明による上記構成の開閉蓋のロック・アンロック機構はプリンタの開閉蓋のロック・アンロック機構として用いるのに適している。
【００１７】
上記構成の開閉蓋のロック・アンロック機構を備えたプリンタとしては、前記開閉蓋の先端部分に紙送りローラが取り付けられており、前記プリンタ本体に印字ヘッドが取り付けられており、前記紙送りローラの軸に前記蓋側係合部が同軸状態に取り付けられており、前記開閉蓋を閉じると、前記紙送りローラによって前記印字ヘッドによる印字位置を経由して記録媒体が搬送される搬送路が構成される形式のものとすることができる。この構成においては、ロックレバーによって紙送りローラが直接に固定されるので、当該紙送りローラの位置決め精度が高まり、そのがたつきも防止できる。
【００１８】
ここで、前記プリンタ本体に記録紙ロール装填部が形成されている場合には、この記録紙ロール装填部の開口部に取り付ける開閉蓋として前記開閉蓋を用いればよい。
【発明の効果】
【００１９】
以上説明したように、本発明の開閉蓋のロック・アンロック機構では、手動操作部材を第１の操作位置まで操作するとロックレバーがスライドして開閉蓋のロックが解除され、更に手動操作部材を操作するとロックレバーがスイングして開閉蓋が押し上げられて開く。手動操作部材を一回操作するだけで開閉蓋のロックを解除できると共に開閉蓋を開くことができる。また、ロックレバーを直線状にスライドさせて開閉蓋のロック状態を形成しているので、円弧状にロックレバーを移動させる場合に比べて、ロックレバー側の係合部と蓋側係合部との間の係合がより強固になる。従って、単一の操作で開閉蓋のロック開錠および開閉蓋の開放を行うことができ、しかも、衝撃や振動によりロックが解除されて開閉蓋が開いてしまうという弊害を抑制可能なロック・アンロック機構を実現できる。
【発明を実施するための最良の形態】
【００２０】
以下に、図面を参照して本発明を適用したプリンタの一例を説明する。
【００２１】
（全体構成）
図１は本実施の形態に係るプリンタの外観斜視図であり、図２はプリンタの開閉蓋を開けた状態を示す外観斜視図である。これらの図に示すように、プリンタ１は後側部分に記録紙ロール２を収納するための装填部３を備えており、装填部３の開口部３ａは開閉蓋４によって封鎖されている。開閉蓋４は、その後端を旋回中心として図１に示す閉じ位置４Ａから図２の示すようにほぼ垂直に起立した開き位置４Ｂまで旋回可能となっている。開閉蓋４の前端部分にはプリンタ幅方向に紙送りローラ５が回転自在の状態で架け渡されており、そのローラ軸５ａの右端には従動歯車６が同軸状態に固定されている。また、紙送りローラ５に記録紙を案内するためのガイド板７も取り付けられている。
【００２２】
プリンタ１の本体側には、開閉蓋４を閉じた状態において紙送りローラ５に対峙する部位にサーマルヘッドなどの印字ヘッド（図示せず）が配置されている。また、紙送りローラ５の側の従動歯車６に噛み合い可能な駆動歯車（図示せず）も配置されている。開閉蓋４を閉じると、駆動歯車が従動歯車６に噛み合い、プリンタ本体側に配置されている紙送りモータ（図示せず）によって紙送りローラ５を回転駆動可能になると共に、紙送りローラ５によって印字ヘッドによる印字位置を経由して記録紙を搬送する搬送路が形成される。装填部３に装填されている記録紙ロール２から繰り出される記録紙は印字ヘッドによる印字位置を経由して搬送され、印字後の記録紙はプリンタ上面の前後方向の中程の部位に形成されている排出口８から上方に向けて排出される。開閉蓋４を開けると、かかる搬送路が開くと共に図２に示すように装填部３が開き、記録紙ロール２の装填作業を簡単に行うことができる。
【００２３】
ここで、開閉蓋４は後述のようにロック・アンロック機構１１によってその閉じ位置にロックされる。また、ロック・アンロック機構１１は、開閉蓋４のアンロック時には閉じ位置から上方（開き方向）に向けて所定量だけ開閉蓋４を押し上げる。開閉蓋４が押し上げられるとプリンタ本体側から完全に開放され、開閉蓋４を開き位置に付勢しているねじりばねなどの付勢部材（図示せず）の付勢力によって、図２に示す開き位置まで旋回して自動的に開状態になる。プリンタ１の外装ケース９には蓋オープンボタン１０（手動操作部材）が配置されており、この蓋オープンボタン１０を操作すると、それに連動してロック・アンロック機構１１が動作して開閉蓋４のロック解除および押し上げ動作が行われる。
【００２４】
（ロック・アンロック機構）
図３は、プリンタ１に内蔵されているロック・アンロック機構を示すために外装ケース８の下半部分を取り外した状態の斜視図である。図４は閉じ状態の開閉蓋およびロック・アンロック機構を示す部分斜視図および部分側面図であり、図５は開き状態の開閉蓋およびロック・アンロック機構を示す部分斜視図および部分側面図である。これらの図を参照してロック・アンロック機構１１を説明する。
【００２５】
開閉蓋４の紙送りローラ５のローラ軸５ａには、その従動ローラ６の内側位置に、回転自在の状態で円筒状の蓋側係合部１２が取り付けられている（図４、５においては従動ローラ６を省略してある。）。プリンタ本体側における外装ケース９が取り付けられている装置本体フレーム（筐体）１３の右側面にはロックレバー１４が取り付けられている。ロックレバー１４の前側上端部分には、前方に開いたほぼ半円形の係合溝１５（筐体側係合部）が形成されており、係合溝１５の円弧状内周面１５ａの下端に連続して前方に水平に延びる蓋押し上げ面１６（蓋押し上げ部）が形成されている。開閉蓋４を閉じた状態において、開閉蓋４の蓋側係合部１２がロックレバー１４の係合溝１５に嵌った状態が開閉蓋４のロック状態であり、図４にはこのロック状態を示してある。
【００２６】
ロックレバー１４は、閉じ位置４Ａにある開閉蓋４の蓋側係合部１２が係合溝１５に係合した図４のロック位置１４Ａと、このロック位置１４Ａから所定の距離だけプリンタ後側に後退した図５に示すアンロック位置１４Ｂとの間を直線状にスライド可能である。また、アンロック位置１４Ｂから、蓋押し上げ面１６によって蓋側係合部１２が所定量押し上げられた押し上げ位置１４Ｃ（後述の図６（ｃ）、図７（ａ）参照）までスイング可能である。このようなロックレバー１４の動作は、蓋オープンボタン１０の押し下げ操作に連動して行われる。本例では、蓋オープンボタン１０を図４に示す初期位置１０Ａから第１の操作位置１０Ｂ（後述の図６（ｂ）参照）まで押し下げる、ロックレバー１４がロック位置１４Ａからアンロック位置１４Ｂにスライドする。蓋オープンボタン１０を第１の操作位置１０Ｂから更に最終操作位置１０Ｃまで押し下げると、ロックレバー１４が押し上げ位置１４Ｃに向けてスイングする。
【００２７】
蓋オープンボタン１０は復帰ばね１７によって常にその初期位置１０Ａに押し上げられており、蓋オープンボタン１０の押し下げを解除するとばね力によって初期位置１０Ａに復帰する。また、ロックレバー１４もコイルばねなどの付勢部材１８によって常にロック方向に付勢されている。
【００２８】
蓋オープンボタン１０とロックレバー１４の間には、蓋オープンボタン１０の押し下げをロックレバー１４のスライド運動に変換するためのスイングアーム２１が配置されている。スイングアーム２１は、その下端に取り付けた支軸２１ａを中心として前後方向にスイング可能な状態で装置フレーム１３に取り付けられている。スイングアーム２１の上端部分には上下に長い円弧状のピンガイド穴２１ｂが形成されている。ロックレバー１４の後端部には連結ピン２２が固定されており、この連結ピン２２がビンガイド穴２１ｂにスライド可能な状態で差し込まれている。また、スイングアーム２１には係合ピン２３が取り付けられている。係合ピン２３は、支軸２１ａよりも後側におけるスイングアーム２１の上下方向の中程の部位に位置している。蓋オープンボタン１０には、その下端後側の部位が下方に垂直に延びた押し下げ面１０ａが形成され、この押し下げ面１０ａが係合ピン２３の上方に位置している。
【００２９】
蓋オープンボタン１０を押し下げると、押し下げ面１０ａが係合ピン２３に当たり、これ以後は蓋オープンボタン１０によってスイングアーム２１が支軸２１ａを中心として後方にスイングする。蓋オープンボタン１０はほぼ垂直に押し下げられ、スイングアーム２１の係合ピン２３は円弧状の軌跡を描いて移動する。本例では、蓋オープンボタン１０が第１の操作位置１０Ｂに到ると、係合ピン２３が押し下げ面１０ａから後側に外れるように設定されている。
【００３０】
次に、ロックレバー１４には、プリンタ前後方向に直線状に延びる長円形の第１および第２のガイド穴１４ａ、１４ｂが形成されている。これらのガイド穴１４ａ、１４ｂには装置本体フレーム１３の側に取り付けた第１および第２のガイドピン２４、２５がスライド可能な状態が差し込まれている。第１のガイド穴１４ａはロックレバー１４の前後方向の中程の部位に形成され、この前側における僅かに上側の部位に第２のガイド穴１４ｂが形成されている。ロックレバー１４は２本のガイドピン２４、２５によって水平に保持され、前後方向に水平にスライド可能である。
【００３１】
第２のガイド穴１４ｂの前端からは、第１のガイド穴１４ａにおける前端に位置する第１のガイドピン２４を中心とする円弧状ガイド穴１４ｃが下方に向けて連続して延びている。また、ロックレバー１４とスイングアーム２１の円弧状のピンガイド穴２１ｂも、第１のガイド穴１４ａにおける前端に位置する第１のガイドピン２４を中心とする円弧状ガイド穴とされている。
【００３２】
また、ロックレバー１４は、第１のガイド穴１４ｂと後端部分に取り付けた連結ピン２２との間の部位に、水平な当接面１４ｄを備えている。蓋オープンボタン１０の前側の下端部分には下方に向けて半円形に突出した押し下げ１０ｂが形成されており、この押し下げ面１０ｂは当接面１４ｄの上方に位置している。本例では、蓋オープンボタン１０が第１の操作位置１０Ｂまで押し込まれると、押し下げ１０ｂが当接面１４ｄに当たり、これ以後は、蓋オープンボタン１０を押し下げると、ロックレバー１４の後側の部分が下方に押し下げられる。この押し下げによって、ロックレバー１４は、第１のガイド穴１４ｂに差し込まれている第１のガイドピン２４を中心として前側の部分が上方にスイングする。
【００３３】
次に、ロックレバー１４における係合溝１５の上側の部位には、当該係合溝１５の内周面１５ａの上端に連続して後方に向けて上側に傾斜している傾斜案内面１４ｅが形成されている。この傾斜案内面１４ｅは、ロックレバー１４がロック位置１４Ａにある状態において、開閉蓋４を閉じた場合に、その蓋側係合部１２が当接するように位置が定められている。
【００３４】
（ロック・アンロック動作）
上記構成の開閉蓋４のロック・アンロック機構１１の動作を説明する。まず、図６（ａ）に示すように開閉蓋４がロック状態にあるものとする。この状態では、ロックレバー１４が前側のロック位置１４Ａに位置しており、その係合溝１５に開閉蓋４の蓋側係合部１２が係合した状態になっている。
【００３５】
この状態において、蓋オープンボタン１０を操作して、第１の操作位置１０Ｂまで押し込むと、蓋オープンボタン１０の押し下げ面１０ａによってスイングアーム２１が押されて後方にスイングする。スイングアーム２１は円弧状のピン孔２１ｂおよび連結ピン２２からなる連結部を介してロックレバー１４の後端部分に連結されており、ロックレバー１４は２本のガイドピン２４、２５によって前後方向にスライド可能に支持されている。よって、図６（ｂ）に示すように、スイングアーム２１が後方にスイングすると、ロックレバー１４が後方に水平にスライドし、アンロック位置１４Ｂに到り、開閉蓋４のロックが解除される。ここで、蓋側係合部１２は、ロックレバー１４の係合溝１５からは外れるが、蓋押し上げ面１６に乗った状態にある。
【００３６】
次に、蓋オープンボタン１０を更に押し込むと、その押し下げ面１０ａとスイングアーム２１との係合が解除される。代わりに、蓋オープンボタン１０における前側の押し下げ面１０ｂがロックレバー１４の当接面１４ｄに当たり、ロックレバー１４が第１のガイドピン２４を中心として上下にスイングする。よって、ロックレバー１４の前端部分の蓋押し上げ面１６が蓋側係合部１２を乗せたまま上方に持ち上げられる。この結果、蓋オープンボタン１を最終操作位置１０Ｃまで押し込んだ状態では、図６（ｃ）に示すように、ロックレバー１４が押し上げ位置１４Ｃまでスイングして、開閉蓋４が所定量だけ押し上げられて、プリンタ本体側から完全に開放された押し上げ位置４Ｃまで開く。
【００３７】
この後は、図７（ａ）に示すように開閉蓋４はその開き位置４Ｂまで自動的に開く。蓋オープンボタン１０の押し下げを解除すると、復帰ばね１７によって蓋オープンボタン１０は押し上げられてその初期位置１０Ａに戻る。また、押し上げ位置１４Ｃにあるロックレバー１４も、付勢部材１８の付勢力によって、アンロック位置１４に戻り、さらにロック位置１４Ａまでスライドする。図７（ｂ）はこの状態を示してある。
【００３８】
ここで、この状態において開閉蓋４を再び閉じると、図７（ｃ）に示すように、ロック位置１４Ａにあるロックレバー１４の傾斜案内面１４ｅに蓋側係合部１２が当たる。従って、開閉蓋４を強く押し込むと、ロックレバー１４が付勢部材１８の付勢力に逆らってアンロック位置１４Ｂに向けてスライドする。傾斜案内面１４ｅの下端には係合溝１５が連続しているので、ロックレバー１４がスライドすると、蓋側係合部１２が傾斜案内面１４ｅの下端から係合溝１５に前側から嵌り込む。傾斜案内面１４ｅを備えているので、開閉蓋４を閉じれば、自動的に開閉蓋４をロックできる。
【００３９】
以上説明したように、ロック・アンロック機構１０では、蓋オープンボタン１０を押し込むという単一の操作により、開閉蓋４のロック解除と、ロック解除された開閉蓋４の押し上げ動作を行うことができる。
【００４０】
また、ロックレバー１４は前後に直線状にスライドしてロック状態およびアンロック状態が形成される。本例では、ロックレバー１４を開閉蓋の蓋側係合部１２の円弧状の移動軌跡における係合位置に引いた接線にほぼ直交する方向からロックレバー１４を蓋側係合部１２に係合させている。このようにすると、円弧状にスイングするロックレバーを用いる場合に比べて、係合溝１５を深くでき、双方の係合力を高めることができる。よって、衝撃や振動が作用してロックが外れて開閉蓋が開いてしまうという弊害を回避できる。
【００４１】
さらに、本例においては、蓋側係合部１２が紙送りローラ５のローラ軸５ａに取り付けられている。従って、開閉蓋４を閉じた状態において紙送りローラ５の位置がロック・アンロック機構１１によって直接固定される。よって、紙送りローラ５を精度良く位置決めでき、また、紙送りローラ５のがたつきも防止できる。
【００４２】
（その他の実施の形態）
なお、上記の例は本発明をプリンタの開閉蓋のロック・アンロック機構に適用したものである。本発明はプリンタ以外の装置や機器の開閉蓋のロック・アンロック機構としても同様に採用できることは勿論である。
【図面の簡単な説明】
【００４３】
【図１】本発明を適用したプリンタの外観斜視図である。
【図２】図１のプリンタの開閉蓋を開いた状態の外観斜視図である。
【図３】図１のプリンタに内蔵されているロック・アンロック機構を示すために外装ケースの下半部分を取り外した状態の斜視図である。
【図４】閉じ状態の開閉蓋およびロック・アンロック機構を示す部分斜視図および部分側面図である。
【図５】開き状態の開閉蓋およびロック・アンロック機構を示す部分斜視図および部分側面図である。
【図６】ロック・アンロック機構の動作を示す説明図である。
【図７】ロック・アンロック機構の動作を示す説明図である。
【符号の説明】
【００４４】
１  プリンタ、２  記録紙ロール、３  装填部、４  開閉蓋、４Ａ  閉じ位置、４Ｂ  開き位置、４Ｃ  押し上げ位置、５  紙送りローラ、５ａ  ローラ軸、１０  蓋オープンボタン、１０ａ、１０ｂ  押し下げ面、１０Ａ  初期位置、１０Ｂ  第１の操作位置、１０Ｃ  最終操作位置、１１  ロック・アンロック機構、１２  蓋側係合部、１３  装置フレーム、１４  ロックレバー、１４ａ、１４ｂ  ガイド穴、１４ｃ  円弧状のガイド穴、１４ｄ  当接面、１４ｅ  傾斜案内面、１４Ａ  ロック位置、１４Ｂ  アンロック位置、１４Ｃ  押し上げ位置、１５  係合溝、１６  蓋押し上げ面、１７  復帰ばね、１８  付勢部材、２１  スイングアーム、２１ａ  支軸、２１ｂ  円弧状ガイド穴、２２  連結ピン、２３  係合ピン、２４、２５  ガイドピン、
【図１】
2005096290.tif 000003
【図２】
2005096290.tif 000004
【図３】
2005096290.tif 000005
【図４】
2005096290.tif 000006
【図５】
2005096290.tif 000007
【図６】
2005096290.tif 000008
【図７】
2005096290.tif 000009